(57)【要約】【課題】本発明は非常に簡単な構成でかつ精度良く検査が行えるとともに、非常に作業性の良い検査を可能にする機械式スイッチの検査治具およびそれを用いた検査方法を実現することを目的とする。【解決手段】本発明は、押さえ板４を搬送ホルダー１に設けられた第１および第２の当接部１ａ，１ｂに当接させるだけで、機械式スイッチの動作確認および位置精度を確認することが出来るため非常に簡単な構成でかつ精度良く検査が行えるとともに、非常に作業性の良い検査を可能にすることができるものである。【選択図】　図１
2004037353.tif 000002
【特許請求の範囲】
【請求項１】
機械式スイッチの接点部分がその端面から突出するように配設された被検査基板と、前記被検査基板を搬送するための搬送ホルダーと、検査時に外部から前記機械式スイッチの接点部分を押圧するための押さえ板とを有し、前記搬送ホルダーは前記被検査基板に設けられた位置決め用の穴と係合するように植設された基板固定用ピンを有するとともに、前記押さえ板の先端と当接する第１の当接部と第２の当接部を有し、前記第１の当接部は前記押さえ板の先端が第１の当接部と当接した際に前記押さえ板の先端が同時に前記機械式スイッチの接点部分を押圧してＯＮ状態にするような位置に配設されているとともに、第２の当接部は前記押さえ板の先端が第２の当接部と当接した際に前記押さえ板の先端が同時に前記機械式スイッチの接点部分と接するように又は少し押圧されてもＯＦＦ状態を維持するような位置に配設されていることを特徴とする機械式スイッチの検査治具。
【請求項２】
請求項１記載の機械式スイッチの検査治具を用いた検査方法であって、被検査基板の特性検査と同時に前記機械式スイッチの動作確認および前記機械式スイッチ位置精度が検査できることを特徴とする機械式スイッチの検査方法。
【請求項３】
機械式スイッチがシーソウ式スイッチからなるとともに、押さえ板の先端が、鏡面仕上げされていることを特徴とする請求項１記載の機械式スイッチの検査治具。
【発明の詳細な説明】
【０００１】
【発明の属する技術分野】
本発明は、機械式スイッチの検査治具およびそれを用いた検査方法に関するものである。
【０００２】
【従来の技術】
従来、この種の機械式スイッチの検査治具は押さえ板を用いるとともに、これを移動させることによってスイッチをＯＮ状態にする距離および、ＯＦＦ状態にする距離をレーザー等の測定器を用いて求め、基準値と比較することによって合否判定を行うものであった。
【０００３】
【発明が解決しようとする課題】
しかしながら、上記従来の構成では、レーザー等の測定器を用いるため、非常にコストがかかるとともに検査が複雑になり作業性が非常に悪くなるという課題を有するものであった。
【０００４】
本発明は、上記従来の課題を解決するためのものであり、非常に簡単な構成でかつ精度良く検査が行えるとともに、非常に作業性の良い検査を可能にする機械式スイッチの検査治具およびそれを用いた検査方法を実現することを目的とする。
【０００５】
【課題を解決するための手段】
上記目的を達成するために本発明の機械式スイッチの検査治具は、機械式スイッチの接点部分がその端面から突出するように配設された被検査基板と、前記被検査基板を搬送するための搬送ホルダーと、検査時に外部から前記機械式スイッチの接点部分を押圧するための押さえ板とを有し、前記搬送ホルダーは前記被検査基板に設けられた位置決め用の穴と係合するように植設された基板固定用ピンを有するとともに、前記押さえ板の先端と当接する第１の当接部と第２の当接部を有し、前記第１の当接部および第２の当接部は前記押さえ板の先端が第１の当接部と当接した際に前記押さえ板の先端が同時に前記機械式スイッチの接点部分を押圧してＯＮ状態にするような位置に配設されているとともに、第２の当接部は前記押さえ板の先端が第２の当接部と当接した際に前記押さえ板の先端が同時に前記機械式スイッチの接点部分と接するように又は少し押圧されてもＯＦＦ状態を維持するような位置に配設されていることを特徴とするものである。
【０００６】
この構成により、押さえ板を搬送ホルダーに設けられた第１および第２の当接部に当接させるだけで、機械式スイッチの動作確認および位置精度を確認することが出来るため非常に簡単な構成でかつ精度良く検査が行えるとともに、非常に作業性の良い検査を可能にすることができるものである。
【０００７】
【発明の実施の形態】
以下、本発明の一実施の形態における機械式スイッチの検査治具について、図面を参照しながら説明する。図１は本発明の一実施の形態における搬送ホルダーの構成を示す図であり、（ａ）は被検査基板搭載前の状態を示す上面図、（ｂ）は被検査基板搭載前の側面の状態を示す側面図である。図２は同搬送ホルダーに被検査基板が搭載された状態を示す上面図である。
【０００８】
図１、図２において、１は被検査基板２を搬送するための樹脂等からなる搬送ホルダーであり、被検査基板２を挿入固定する為の基板受け１ｃが設けられるとともに、被検査基板２に設けられた位置決め用の穴６と結合するように植設された基板固定用ピン５が設けられている。
【０００９】
また搬送ホルダー１には被検査基板２が挿入固定された際に、被検査基板２に実装されている機械式スイッチ３のＯＮ，ＯＦＦを確認する為の押さえ板４の先端と当接する第１の当接部１ａと第２の当接部１ｂを有している。
【００１０】
ここで第１の当接部１ａと第２の当接部１ｂと機械式スイッチ３のスイッチレバー３ａとの位置関係は、スイッチレバー３ａの先端が第１の当接部１ａよりも突出しているとともに、第２の当接部１ｂよりもわずかに突出するように構成されている。これにより第１の当接部１ａに押さえ板４の先端部４ａが当接すると、この先端部４ａによりスイッチレバー３ａが押し込まれて機械式スイッチ３がＯＮ状態になるとともに、また第２の当接部１ｂに押さえ板４の先端部４ａが当接すると、この先端部４ａによりスイッチレバー３ａの遊び分だけ押し込まれた状態でストップし機械式スイッチ３としてはＯＦＦ状態になる。
【００１１】
次に図３（ａ）は同実施の形態における押さえ板が第１の当接部に当接された状態を示す上面図、図３（ｂ）は同実施の形態における押さえ板が第２の当接部に当接された状態を示す上面図、図４（ａ）は同実施の形態における押さえ板の上面図、図４（ｂ）は同実施の形態における押さえ板の側面図である。
【００１２】
以下、図３、図４を用いて上述した搬送ホルダー１を用いて被検査基板２に設けられた機械式スイッチ３のＯＮ，ＯＦＦ検査の検査方法について説明する。
【００１３】
まず被検査基板２が挿入固定された搬送ホルダー１が所定位置に搬送されてくると、被検査基板２の所定個所に複数の接触ピン（図示なし）が接触して特性検査を開始し終了後、押さえ板４が搬送ホルダー１の第１の当接部１ａに向かって移動して機械式スイッチ３のＯＦＦ−ＯＮ確認検査を開始する。
【００１４】
ここで、押さえ板４の先端部４ａが第１の当接部１ａに当接すると先端部４ａによりスイッチレバー３ａが押し込まれて機械式スイッチ３がＯＮ状態になった場合には良品と判断して次工程に進むとともに、先端部４ａが第１の当接部１ａに当接しても機械式スイッチ３がＯＮ状態にならない場合は、ＮＧと判断して別途後工程でその被検査基板２を取り除くように構成されている。
【００１５】
次に押さえ板４がいったん元の位置に後退後、今度は搬送ホルダー１の第２の当接部１ｂに向かって移動して機械式スイッチ３のＯＮ−ＯＦＦ確認検査を開始する。ここで、押さえ板４の先端部４ａが第２の当接部１ｂに当接すると先端部４ａによりスイッチレバー３ａがわずかに押し込まれるが、機械式スイッチ３としてはＯＦＦ状態であることが判定されると、良品と判断して次工程に進むとともに、先端部４ａが第２の当接部１ｂに当接した際にスイッチレバー３ａが押し込まれて機械式スイッチ３がＯＮ状態になってしまった場合には、ＮＧと判断して別途後工程でその被検査基板２を取り除くように構成されている。
【００１６】
以上の検査により機械式スイッチ３の動作確認と取り付け精度を同時に確認することが出来る。
【００１７】
なお、押さえ板４は図４に示されるような構成を有しており、先端部４ａを鏡面仕上げにすることにより、機械式スイッチ３のスイッチレバー３ａとの接点部分のすべりを良くすることが出来、検査の際のスイッチレバー３ａへの負荷を極力押さえることができる。
【００１８】
【発明の効果】
以上の説明から明らかなように、本発明によれば、押さえ板を搬送ホルダーに設けられた第１および第２の当接部に当接させるだけで、機械式スイッチの動作確認および位置精度を確認することが出来るため非常に簡単な構成でかつ精度良く検査が行えるとともに、非常に作業性の良い検査を可能にする検査をすることができる。
【図面の簡単な説明】
【図１】（ａ）本発明の一実施の形態における搬送ホルダーの上面図
（ｂ）同側面図
【図２】同搬送ホルダーに被検査基板が搭載された状態を示す上面図
【図３】（ａ）同実施の形態における押さえ板が第１の当接部に当接された状態を示す上面図
（ｂ）同実施の形態における押さえ板が第２の当接部に当接された状態を示す上面図
【図４】（ａ）同実施の形態における押さえ板の上面図
（ｂ）同側面図
【符号の説明】
１　搬送ホルダー
１ａ　第１の当接部
１ｂ　第２の当接部
１ｃ　基板受け
２　被検査基板
３　機械式スイッチ
３ａ　スイッチレバー
４　押さえ板
４ａ　先端部
５　基板固定用ピン
６　位置決め用穴
【図１】
2004037353.tif 000003
【図２】
2004037353.tif 000004
【図３】
2004037353.tif 000005
【図４】
2004037353.tif 000006